(57)【要約】【課題】小動物が自然な姿勢でストレスなく容易に水を飲むことができると共に、不意な給水停止や水漏れの発生の虞れがない小動物用給水器を提供する。【解決手段】給水ボトル１の雄ネジ口部11が螺着される雌ネジ部21を有すると共に上方開口皿型の飲口部22を有する受け具２と、飼育ケージ外部側に配設されケージ柵部Ｋに取着される保持具３と、を備え、保持具３は、ケージ柵部Ｋの外面に対面状に配設される背壁部30と、受け具２を下方から支持する下壁部31と、背壁部30の下部に貫設された開口部32と、を有し、受け具２の飲口部22が、保持具３の開口部32と、ケージ柵部Ｋの横杆Ｓと横杆Ｓの隙間Ｚと、を挿通して、飼育ケージ外部から飼育ケージ内部へ差込まれるように構成した。【選択図】図２
2019024334.tif 000002
【特許請求の範囲】
【請求項１】
給水ボトル（１）の雄ネジ口部（11）が螺着される雌ネジ部（21）を有すると共に上方開口皿型の飲口部（22）を有する受け具（２）と、飼育ケージ外部側に配設されケージ柵部（Ｋ）に取着される保持具（３）と、を備え、
上記保持具（３）は、上記ケージ柵部（Ｋ）の外面に対面状に配設される背壁部（30）と、上記受け具（２）を下方から支持する下壁部（31）と、上記背壁部（30）の下部に貫設された開口部（32）と、を有し、
上記受け具（２）の上記飲口部（22）が、上記保持具（３）の開口部（32）と、上記ケージ柵部（Ｋ）の横杆（Ｓ）と横杆（Ｓ）の隙間（Ｚ）と、を挿通して、飼育ケージ外部から飼育ケージ内部へ差込まれるように構成したことを特徴とする小動物用給水器。
【請求項２】
上記飲口部（22）の左右幅寸法（Ｗ22）を、該飲口部（22）の深さ寸法（Ｄ22）の２倍以上４倍以下に設定した請求項１記載の小動物用給水器。
【請求項３】
上記保持具（３）は、上記背壁部（30）から飼育ケージ内部側へ突設した雄ネジ杆部（35）を有し、
上記雄ネジ杆部（35）に螺着可能な手回し用回転盤（４）を、飼育ケージ内部側から上記雄ネジ杆部（35）に螺着して、上記保持具（３）が上記ケージ柵部（Ｋ）に着脱自在に取着されるように構成した請求項１又は２記載の小動物用給水器。
【請求項４】
上記保持具（３）は、上記背壁部（30）に、鉛直面状のケージ当り用面（30ｄ）を有し、
上記ケージ当り用面（30ｄ）の上下寸法（Ｈ30）を、該ケージ当り用面（30ｄ）の左右幅寸法（Ｗ30）の１．５倍以上３倍以下に設定した請求項１，２又は３記載の小動物用給水器。
【発明の詳細な説明】
【技術分野】
【０００１】
本発明は、小動物用給水器に関する。
【背景技術】
【０００２】
従来、ウサギやモルモット等の小動物の給水器は、給水ボトルの口部が取着されると共に下傾状の出水管を有する給水器本体を備え、出水管の内部に、止水用の金属球と、漏れ防止用のＯリングと、を設けたものが公知である（例えば、特許文献１参照）。
【先行技術文献】
【特許文献】
【０００３】
【特許文献１】登録実用新案第３０９８５７９号公報
【発明の概要】
【発明が解決しようとする課題】
【０００４】
上述の従来の給水器は、出水管内の金属球を、小動物が舌で舐めて回転させたり、押し上げることで、水を飲むことが可能であるが、このような行為は、小動物にとって不自然な飲み方であり、ストレスの原因となっていた。
さらに、出取水管内が水垢等によって汚れた場合や、出水管内にゴミ等の異物が混入した場合に、金属球が動かずに給水が不可能になるといった問題や、金属球が所定の止水位置に戻らず、水漏れが発生するといった問題があった。
【０００５】
そこで、本発明は、小動物が自然な姿勢でストレスなく容易に水を飲むことができると共に、不意な給水停止や水漏れの発生の虞れがない小動物用給水器の提供を目的とする。
【課題を解決するための手段】
【０００６】
本発明の小動物用給水器は、給水ボトルの雄ネジ口部が螺着される雌ネジ部を有すると共に上方開口皿型の飲口部を有する受け具と、飼育ケージ外部側に配設されケージ柵部に取着される保持具と、を備え、上記保持具は、上記ケージ柵部の外面に対面状に配設される背壁部と、上記受け具を下方から支持する下壁部と、上記背壁部の下部に貫設された開口部と、を有し、上記受け具の上記飲口部が、上記保持具の開口部と、上記ケージ柵部の横杆と横杆の隙間と、を挿通して、飼育ケージ外部から飼育ケージ内部へ差込まれるように構成したものである。
また、上記飲口部の左右幅寸法を、該飲口部の深さ寸法の２倍以上４倍以下に設定したものである。
【０００７】
また、上記保持具は、上記背壁部から飼育ケージ内部側へ突設した雄ネジ杆部を有し、上記雄ネジ杆部に螺着可能な手回し用回転盤を、飼育ケージ内部側から上記雄ネジ杆部に螺着して、上記保持具が上記ケージ柵部に着脱自在に取着されるように構成したものである。
また、上記保持具は、上記背壁部に、鉛直面状のケージ当り用面を有し、上記ケージ当り用面の上下寸法を、該ケージ当り用面の左右幅寸法の１．５倍以上３倍以下に設定したものである。
【発明の効果】
【０００８】
本発明によれば、小動物が、野生環境に近い自然な姿勢で、ストレスを感じることなく、本能的に水を飲むことができる。構造がシンプルで、不意に給水が停止するような故障の虞れがなく、水漏れの虞れもない。給水ボトルの水交換作業を容易かつ迅速に行うことができる。小動物が給水ボトルに接触して倒れるのを防止できる。
【図面の簡単な説明】
【０００９】
【図１】本発明の実施の一形態の使用状態を示す斜視図である。
【図２】使用状態を示す断面側面図である。
【図３】水交換作業の一例を示す斜視図である。
【図４】分解斜視図である。
【図５】保持具の一例を示す図であって、（ａ）は断面側面図であり、（ｂ）は背面図である。
【図６】受け具の一例を示す図であって、（ａ）は平面図であり、（ｂ）は断面側面図である。
【発明を実施するための形態】
【００１０】
以下、図示の実施形態に基づき本発明を詳説する。
本発明に係る小動物用給水器は、図１に示すように、飼育ケージ内のウサギやモルモット、チンチラ等のペット（小動物）に水を与えるためのものであって、飼育ケージ外部側に配設されてケージ柵部Ｋに取着される保持具３と、給水ボトル１から流入した水（飲料）を貯水するための上方開口皿型の飲口部22を有する受け具２と、を備えている。
【００１１】
図１乃至図５に示すように、保持具３は、ケージ柵部Ｋの外面（外部側の面）に対面状に配設される背壁部30と、受け具２を下方から支持するための下壁部31と、背壁部30の下部に前後方向に貫設された開口部32と、受け具２の左右方向の移動を規制すると共に、背壁部30と下壁部31とを連結する左右一対の側壁部33，33と、背壁部30から飼育ケージ内部側（後方）へ突設した雄ネジ杆部35と、給水ボトル１を抱き込み状に保持するためのベルト部材39（図５に於ては図示省略）と、を有している。背壁部30は裏面に、鉛直面状のケージ当り用面30ｄを有している。
【００１２】
図１乃至図４と図６に示すように、受け具２は、給水ボトル１の雄ネジ口部11が螺着可能な雌ネジ部21を基端部（前部）に有すると共に、上方開口皿型の飲口部22を先端部（後部）に有し、さらに、雌ネジ部21と飲口部22を連通する流路部23を有している。
【００１３】
図２と図３に示すように、保持具３は、背壁部30（のケージ当り用面30ｄ）を、ケージ柵部Ｋの外面に当接させると共に、雄ネジ杆部35を、ケージ柵部Ｋの横杆Ｓと横杆Ｓの間から飼育ケージ内部に差込状に配設し、さらに、開口部32を、ケージ柵部Ｋの横杆Ｓと横杆Ｓの隙間Ｚに対応させた状態で、飼育ケージ外部側に配設される。
保持具３は、雄ネジ杆部35に、ネジ孔を有する手回し用回転盤４が飼育ケージ内部から螺着することで、背壁部30と回転盤４とでケージ柵部Ｋを挟圧状に締め付けて、ケージ柵部Ｋに着脱自在に取着される。保持具３は、ケージ柵部Ｋへの取着状態で、開口部32が隙間Ｚと連通状態となる。
【００１４】
そして、給水ボトル１が倒立姿勢で雌ネジ部21に螺着している受け具２を、ケージ外部側から保持具３に接近させると、受け具２の飲口部22が、保持具３の開口部32と、ケージ柵部Ｋの隙間Ｚと、を挿通して、飼育ケージ外部から飼育ケージ内部へ差込まれた状態となる。
【００１５】
図１と図２に示すように、保持具３は、ベルト部材39にて給水ボトル１を抱き込み状に保持（固定）し、下壁部31が給水ボトル１や受け具２や水の荷重を支持し、左右の側壁部33，33が給水ボトル１の倒れや受け具２の左右方向の移動を阻止する。
【００１６】
給水ボトル１の水交換作業の際は、ベルト部材39の保持を解除した後、図３に示すように、給水ボトル１を把持して飼育ケージ外部側（手前側）へ引けば、保持具３から、給水ボトル１と受け具２とを一緒に取り外すことができる。
このように、水交換作業者（飼育者）は、飼育ケージの扉を開閉して飼育ケージ内へ手を入れる必要がなく（小動物が脱走する虞れや、作業者の手が汚れる虞れがなく）、水交換作業を行うことができる。また、給水ボトル１を把持できるため持ちやすく、水をこぼす虞れが軽減される。
【００１７】
また、図１に示すように、受け具２に取着されている給水ボトル１を保持具３がベルト部材39で保持した状態で（回転盤４を操作すれば）、保持具３と受け具２と給水ボトル１とを一体状に、飼育ケージに対して着脱することが可能である。例えば、飲口部22が、小動物の大きさに合った位置となるように、又は、飼育者が水交換作業をしやすい位置となるように、位置決めの検討・決定を容易に行える。
【００１８】
図６に示すように、受け具２は、飲口部22の上縁部の左右幅寸法Ｗ22を、飲口部22の深さ寸法Ｄ22の２倍以上４倍以下に設定している。例えば、３８ｍｍ以上７６ｍｍ以下に設定する。２倍未満であると、小動物が水面に顔を接近させることができず、水が飲みにくくなる。４倍を超えると、飲口部22が広くなりすぎ、飼育ケージ内部が狭くなる虞れや、小動物が不意に接触する虞れがある。
【００１９】
また、図６（ｂ）に示すように、受け具２の飲口部22の上下寸法Ｈ22は、ケージ柵部Ｋの横杆Ｓと横杆Ｓの隙間Ｚの上下隙間寸法よりも小さく設定している。例えば、１５ｍｍ以上３０ｍｍ以下に設定している。下限値未満であると、浅くなりすぎて、貯水量が少なくなると共に、小動物が水を飲みにくくなる。また、上限値を超えると、様々の種類のケージに対応できなくなって汎用性が悪くなる。
【００２０】
また、図２と図６に示すように、受け具２は、飲口部22が、開口部32から所定寸法を超えて突出しないようにするためのストッパー部29を有している。ストッパー部29は、保持具３の背壁部30の表て面に当接して、飲口部22の突出寸法を規定する。
【００２１】
また、受け具２は、雌ネジ部21と底面25の間に、給水ボトル１の雄ネジ口部11の開口縁11ａに当接して、給水ボトル１の螺進を阻止し、受け具２の底面25と雄ネジ口部11（開口縁11ａ）との間に水流入用の間隙（ギャップ）を形成するための当り部28を有している。水交換作業者が変わっても、給水ボトル１の開口縁11ａの位置が常に同位置となり、水位を安定させることができる（水交換作業者の熟練度に関係なく、常に、水位を適正な所定高さにできる）。
【００２２】
また、図６に示すように、受け具２は、飲口部22において平面視平行状の左右側の開口上端縁部と、飲口部22において平面視円弧状の先端側（小動物から見て手前側）の開口上端縁部と、を金属で形成している。
【００２３】
より具体的には、受け具２は、雌ネジ部21と、当り部28と、流路部23と、ストッパー部29と、飲口部22の底壁部と、飲口部22の周囲壁部の下部乃至上下中間部と、を有する樹脂製の受け本体60を備え、さらに、飲口部22の左右側の開口上端縁部及び飲口部22の先端側の開口上端縁部を形成するためのＵ字状の金属製の補強部材61を備えている。
受け本体60は、補強部材61が差込まれる平面視Ｕ字状の差込用溝部60ｄを有している。受け本体60と補強部材61の固着（一体化）は、接着剤やインサート成型等自由である。
このように、金属製の補強部材61で、（使用状態で飼育ゲージ内部に配設される部位である）飲口部22の左右側の開口上端縁部及び飲口部22の先端側の開口上端縁部を形成することで、ウサギやモルモット等の小動物のカジリ（齧り）による損傷を防止できる。
【００２４】
次に、図５に示すように、保持具３の背面部30は裏面に鉛直面状のケージ当り用面30ｄを有し、そのケージ当り用面30ｄの上下寸法Ｈ30を、ケージ当り用面30ｄの左右幅寸法Ｗ30の１．５倍以上３倍以下に設定している。下限値未満であると、ケージ柵部Ｋの横杆Ｓとの接触面積が狭くなって、保持具３の姿勢が不安定になる。上限値を超えると飼育ケージに取着可能な範囲が制限されると共に、ケージ柵部Ｋを塞いで風通しや美観を損なう。なお、図４と図５に於て、背壁部30の裏面のケージ当り用面30ｄと、側縁のアール部（弯曲部）と、の境界線を二点鎖線で図示している。
【００２５】
また、図３乃至図５に示すように、保持具３は、背壁部30と左右一対の側壁部33，33と下壁部31と開口部32とを有する樹脂製の保持本体51と、背壁部30に挿通して水平状に保持され雄ネジ杆部35を形成するための金属製のボルト部材52と、保持本体51に着脱自在なベルト部材39と、を備えている。
【００２６】
保持本体51は、上下中間部の左右両側夫々に鉛直状の軸部34，34を有している。
ベルト部材39は、伸縮自在なゴム製の帯状弾性体55と、図３に示すように、帯状弾性体55の一端部が取着すると共に、保持本体51の左右一対の軸部34，34の一方に外嵌状に取着可能な把持部57ａを有する樹脂製の連結部材57と、図１と図４に示すように、帯状弾性体55の他端部が取着すると共に、保持本体51の左右の軸部34，34の他方に係脱可能な係止爪部56ａを有する樹脂製のフック部材56と、を備えている。
【００２７】
図３に於て、連結部材57の把持部57ａは、保持本体51の軸部34に外嵌状に取着して、連結部材57を軸部34の軸心廻りに揺動自在とする。つまり、把持部57ａと軸部34とで、ベルト部材39と保持本体51との枢結部を形成する。
把持部57ａは、弾性変形可能であり、連結部材57に所定の操作力を付与することで、軸部34から離脱可能に設けている。
【００２８】
このように、保持具３に給水ボトル１を固定するための固定手段としてベルト部材39を設けることで、帯状弾性体55の伸縮によって様々な形状や大きさ（凹凸や太さ）の給水ボトル１を容易に固定できる。帯状弾性体55の収縮力によって、フック部材56を保持本体51の軸部34に常に強い力で引っ掛けて係止できる。
【００２９】
また、保持本体51は、左右一方の軸部34と左右他方の軸部34とを同形状及び同寸法に形成している。従って、連結部材57は、左右の軸部34，34のどちらにも取着可能であり、選択的に取着される。同様に、フック部材56は、左右の軸部34，34のどちらにも係止可能である。したがって、水交換作業者（飼育者）は、ベルト部材39を、好みや周辺環境に応じて、右開き解除使用状態（図３及び図４参照）と、左開き解除使用状態（図示省略）と、に切り替えて使用できる。
【００３０】
給水ボトル１は、雄ネジ口部11が上方開口状となる起立姿勢で、水が流入され、その起立姿勢の給水ボトル１の雄ネジ口部11に、受け具２を施蓋状に配設して、雌ネジ部21を螺着し、給水ボトル１に受け具２を取着する。その後、給水ボトル１と共に受け具２を上下反転して（ひっくり返して）、図例のような使用姿勢となる。図２に於て二点鎖線で示すように給水ボトル１内の水は、雄ネジ口部11から下方へ流出し、流路部23を介して飲口部22に注がれ、受け具２（流路部23及び飲口部22）には、雄ネジ口部11の開口縁11ａまで水が貯水されることとなる。このような構造の給水器は、（ペット業界において）サイフォン式の皿型給水器と呼ばれる場合がある。
【００３１】
また、給水ボトル１は、図例のような目盛付の専用品に限らず、雄ネジ口部11を有していれば、既存のペットボトル等の飲料水用容器であっても良い。つまり、受け具２の雌ネジ部21は、既存の飲料水用容器に螺合可能に設けている。また、保持具３及び受け具２は、３００ｍｍｌ〜６００ｍｍｌの既存の飲料水用容器（市販のペットボトル）に対応可能に設けるのが好ましい。
また、固定手段としてベルト部材39を設けているので、様々な形状や大きさ（凹凸や太さ）がある既存の飲料水用容器（市販のペットボトル）を給水ボトル１として用いることを可能としている。
【００３２】
なお、本発明は、設計変更可能であって、保持具３において、ボルト部材52を使用せずに、保持本体51に雄ネジ杆部35を樹脂成型で一体に設けても良い。また、固定手段として、Ｃ字状樹脂成型品のクランプ部材や、保持本体51に樹脂成型にて一体に設けた弾性変形爪片を設けるも良いが、耐久性の面や、様々な形状や大きさの既存の飲料水用容器（市販のペットボトル）を給水ボトル１として用いるための汎用性の面から、上述のベルト部材39が好ましい。
【００３３】
また、本発明は、特に、飼育ケージ内で飼育されるウサギ、モルモット、チンチラ、フェレット等の小動物用として使用するのに最適である。
【００３４】
以上のように、本発明の小動物用給水器は、給水ボトル１の雄ネジ口部11が螺着される雌ネジ部21を有すると共に上方開口皿型の飲口部22を有する受け具２と、飼育ケージ外部側に配設されケージ柵部Ｋに取着される保持具３と、を備え、上記保持具３は、上記ケージ柵部Ｋの外面に対面状に配設される背壁部30と、上記受け具２を下方から支持する下壁部31と、上記背壁部30の下部に貫設された開口部32と、を有し、上記受け具２の上記飲口部22が、上記保持具３の開口部32と、上記ケージ柵部Ｋの横杆Ｓと横杆Ｓの隙間Ｚと、を挿通して、飼育ケージ外部から飼育ケージ内部へ差込まれるように構成したので、小動物が、野生環境に近い自然な姿勢で、ストレスを感じることなく、本能的に水を飲むことができる。構造がシンプルで、不意に給水が停止するような故障の虞れがなく、水漏れの虞れもない。給水ボトルの水交換作業を容易かつ迅速に行うことができる。小動物が給水ボトルに接触して倒れるのを防止できる。水交換作業者（飼育者）は、飼育ケージの扉を開閉して飼育ケージ内へ手を入れる必要がなく（小動物が脱走する虞れや、作業者の手が汚れる虞れがなく）、水交換作業を容易かつ迅速に行うことができる。安全かつ衛生的に水交換作業を行うことができる。
【００３５】
また、上記飲口部22の左右幅寸法Ｗ22を、該飲口部22の深さ寸法Ｄ22の２倍以上４倍以下に設定したので、小動物が水面に顔を接近させることができて、水が飲みやすくなる。ケージ内が狭くなる虞れや、小動物が不意に接触する虞れを軽減しながらも、小動物が飲みやすい飲口部22が得られる。
【００３６】
また、上記保持具３は、上記背壁部30から飼育ケージ内部側へ突設した雄ネジ杆部35を有し、上記雄ネジ杆部35に螺着可能な手回し用回転盤４を、飼育ケージ内部側から上記雄ネジ杆部35に螺着して、上記保持具３が上記ケージ柵部Ｋに着脱自在に取着されるように構成したので、保持具３を容易かつ迅速に飼育ケージに対して着脱できる。保持具３を様々な飼育ケージに着脱できる。
【００３７】
また、上記保持具３は、上記背壁部30に、鉛直面状のケージ当り用面30ｄを有し、上記ケージ当り用面30ｄの上下寸法Ｈ30を、該ケージ当り用面30ｄの左右幅寸法Ｗ30の１．５倍以上３倍以下に設定したので、ケージ柵部Ｋの横杆Ｓとの接触面積が広くなって、保持具３の姿勢が安定する。飼育ケージの様々な箇所に取着可能でありながら、ケージ柵部Ｋを塞ぐことがなく、風通しの邪魔をせず、美観も損なわない。
【符号の説明】
【００３８】
１  給水ボトル
２  受け具
３  保持具
４  手回し用回転盤
11  雄ネジ口部
21  雌ネジ部
22  飲口部
30  背壁部
30ｄ  ケージ当り用面
31  下壁部
32  開口部
35  雄ネジ杆部
Ｋ  ケージ柵部
Ｓ  横杆  
Ｄ22  深さ寸法
Ｈ22  上下寸法
Ｗ22  左右幅寸法
Ｈ30  上下寸法
Ｗ30  左右幅寸法
Ｚ  隙間
【図１】
2019024334.tif 000003
【図２】
2019024334.tif 000004
【図３】
2019024334.tif 000005
【図４】
2019024334.tif 000006
【図５】
2019024334.tif 000007
【図６】
2019024334.tif 000008